(57)【要約】【課題】作業時に間接活線工具を取り出し易くする。【解決手段】アーム取付具２０が電柱７０の所定の高さ位置に固定される。アーム部材３０が水平方向に延びる柱形状を有し、一端がアーム取付具２０に取り付けられる。フック４０が間接活線工具６０を吊り下げ自在で、アーム部材３０の下部に設けられる。これにより、アーム部材３０の下方にフック４０を介して間接活線工具６０を吊り下げることができるようになる。この結果、アーム部材３０の下方にフック４０を介して間接活線工具６０を吊り下げることができるので、電柱７０上で作業する際に、間接活線工具６０を取り出し易くなり、作業効率が向上し、間接活線工具６０が誤って落下してしまうことを防止できる。【選択図】図１
2012085377.tif 000002
【特許請求の範囲】
【請求項１】
電柱の所定の高さ位置に固定される取付具と、
水平方向に延びる柱形状を有し、一端が前記取付具に取り付けられるアーム部材と、
工具を吊り下げ自在で、前記アーム部材の下部に設けられる吊下部材とを備えることを特徴とする吊下装置。
【請求項２】
前記取付具は、
前記電柱の円周方向に摺動自在なアーム部材取付板を有し、前記アーム部材取付板によって前記アーム部材を前記電柱の円周方向に沿って移動させることを特徴とする請求項１に記載の吊下装置。
【請求項３】
前記アーム部材には前記吊下部材が水平方向に摺動自在な摺動部が設けられることを特徴とする請求項１又は２に記載の吊下装置。
【請求項４】
前記アーム部材の他端には前記電柱に巻きつき可能なワイヤが設けられることを特徴とする請求項１乃至３のいずれかに記載の吊下装置。
【請求項５】
（追加しました。）
前記電柱に固定される取付部材と、
前記アーム部材の他端に設けられ、前記取付部材と係合するチェーンとを更に備えることを特徴とする請求項１乃至３のいずれかに記載の吊下装置。
【発明の詳細な説明】
【技術分野】
【０００１】
本発明は、電線工事等に使用される間接活線工具等の工具を吊り下げる吊下装置に関するものである。
【背景技術】
【０００２】
近年、電柱間に架設された電線の配電工事等を行う際に、電線に電気を通電させた状態、つまり無停電状態で作業（所謂、活線作業）が行われている。このような活線作業には、絶縁衣や絶縁手袋等の絶縁保護具を着用した作業者が通電中の電線に直接触れて作業を行う直接活線工法と、間接活線工具を使用して、作業者が通電中の電線に直接触れることなく作業を行う間接活線工法の二通りがある。
【０００３】
直接活線工法は、感電等を防止するために大掛かりな絶縁保護具を着用して作業を行うため、間接活線工法よりも作業効率が低下すると共に、作業者が通電中の電線に直接触れて作業を行うため、作業者が感電してしまうおそれがある。そのため、作業効率の向上や作業環境の改善等の観点から、間接活線工具を使用した間接活線工法が主流となってきている。
【０００４】
間接活線工法は、間接活線工具を用いて作業が行われる。間接活線工具は、例えば、駆動ユニット及び駆動ユニットを操作可能な操作部を備えた、電気的に絶縁された棒状の絶縁操作棒と、この絶縁操作棒の先端に設けられ、駆動ユニットに接続されると共に、作業内容により交換可能に構成された先端工具とで構成される。操作部には作業者が把持可能な取っ手部が設けられており、作業者は、一方の手で取っ手部を把持し、他方の手で操作部を操作して間接活線作業を行う。
【０００５】
このような間接活線工具は、電線工事を行う場合に予め複数用意され、この複数の間接活線工具は、作業袋に収納される。この場合、作業袋から所望の間接活線工具を取り出すときに、当該間接活線工具が他の間接活線工具に引っ掛かる等して取り出しにくい。その結果、作業効率を低下させる原因となり、また、間接活線工具が誤って落下してしまう可能性もある。
【０００６】
特許文献１には、電線工事用器具を吊り下げるための吊下具が開示されている。この吊下具によれば、電気室フレーム上部の桁等に取り付けられる逆Ｊ字形状の取付部材と、この取付部材の下部にリング形状のロープを介してぶら下げられた滑車と、この滑車に通されたロープと、このロープの両端に設けられた複数の樹脂フックとを備える。これにより、電気室のフレーム上部の桁に取付部材を取り付けることにより、樹脂フックに電線工事用器具を複数吊り下げることができる。
【先行技術文献】
【特許文献】
【０００７】
【特許文献１】特開平８−２３６１０号公報
【発明の概要】
【発明が解決しようとする課題】
【０００８】
ところで、特許文献１に記載の吊下具では、電気室フレーム上部の桁等に取り付けられるものであり、電柱に適用することはその構造上困難であり、また、間接活線工具のような比較的大きな工具を複数吊り下げることは困難である。
【０００９】
そこで、本発明は、上述の課題を解決したものであって、作業時に間接活線工具を取り出し易くできる吊下装置を提供することを目的とする。
【課題を解決するための手段】
【００１０】
上述の課題を解決するために、本発明に係る吊下装置は、電柱の所定の高さ位置に固定される取付具と、水平方向に延びる柱形状を有し、一端が取付具に取り付けられるアーム部材と、工具を吊り下げ自在で、アーム部材の下部に設けられる吊下部材とを備えることを特徴とするものである。
【００１１】
本発明に係る吊下装置では、取付具が電柱の所定の高さ位置に固定される。アーム部材が水平方向に延びる柱形状を有し、一端が取付具に取り付けられる。吊下部材が工具を吊り下げ自在で、アーム部材の下部に設けられる。これにより、アーム部材の下方に吊下部材を介して、例えば間接活線工具を吊り下げることができるようになる。
【００１２】
また、取付具は、電柱の円周方向に摺動自在なアーム部材取付板を有し、このアーム部材取付板によってアーム部材を前記電柱の円周方向に沿って移動させる。これにより、取付具を電柱から取り外して、アーム部材の方向を設定してから取付具を電柱に再度固定することなく、アーム部材の下方に吊り下げた工具を電柱の円周方向に沿って移動させることができる。
【００１３】
また、アーム部材には吊下部材が水平方向に摺動自在な摺動部が設けられる。これにより、様々な長さを有するアーム部材を用意することなく、アーム部材の下方に吊り下げた工具を水平方向に沿って移動させることができる。
【００１４】
また、アーム部材の他端には電柱に巻きつき可能なワイヤが設けられる。これにより、取付具のみでは支えきれなくなる程の長さを有するアーム部材を使用する場合でも、ワイヤを電柱に巻きつける等することにより、当該アーム部材を支持することができる。
【００１５】
また、上述のワイヤの代わりに、電柱に固定される取付部材と、アーム部材の他端に設けられ、取付部材と係合するチェーンとを更に備えても良い。これにより、足場ボルト等が存在しない高さ位置においてもアーム部材を設置することができる。
【発明の効果】
【００１６】
本発明に係る吊下装置によれば、アーム部材の下方に吊下部材を介して間接活線工具を吊り下げることができるので、電柱上で作業する際に、間接活線工具を取り出し易くなり、作業効率が向上し、間接活線工具が誤って落下してしまうことを防止できる。更に、電柱から離れた場所に間接活線工具を置いておくことができるので、作業空間を確保することができる。
【図面の簡単な説明】
【００１７】
【図１】第１の実施の形態に係る吊下装置１０の構成例を示す斜視図である。
【図２】アーム取付具２０の構成例を示す平面図である。
【図３】（Ａ）は、アーム部材３０の構成例を示す平面図であり、（Ｂ）は、その底面図であり、（Ｃ）は、（Ａ）のＡ−Ａ線断面図であり、（Ｄ）は、（Ａ）のＢ−Ｂ線断面図である。
【図４】吊下装置１０の使用例（その１）を示す平面図である。
【図５】吊下装置１０の使用例（その２）を示す正面図である。
【図６】第２の実施の形態に係る吊下装置１０Ａの構成例を示す斜視図である。
【発明を実施するための形態】
【００１８】
以下、図面を参照して、本発明に係る実施の形態の一例として吊下装置１０，１０Ａについて説明する。
【００１９】
＜第１の実施の形態＞  
［吊下装置１０の構成例］  
最初に、吊下装置１０の構成例について説明する。図１に示すように、吊下装置１０は、取付具の一例であるアーム取付具２０、アーム部材３０及び吊下部材の一例であるフック４０で構成される。
【００２０】
アーム取付具２０は、電柱７０（電柱本体部７１）の所定の高さ位置に固定される。所定の高さ位置とは、例えば、作業者が足場ボルト７２で電柱本体部７１を登って電柱７０の各種作業を行う高さ位置である。アーム取付具２０の構成については、図２で説明する。
【００２１】
アーム部材３０は、水平方向に延びる柱形状を有し、一端がアーム取付具２０に取り付けられる。アーム部材３０は、金属で形成されても良いし、樹脂等で形成されても良い。例えば、アーム部材３０の長さは、適宜変更可能であるが、図１では、７００〜８００ｍｍ程度を想定している。アーム部材３０の構成については、図３で説明する。
【００２２】
アーム部材３０の他端には電柱７０に巻きつき可能なワイヤ３１が設けられる。これにより、アーム取付具２０のみでは支えきれなくなる程の長さ（例えば、７００〜８００ｍｍ程度）を有するアーム部材３０を使用する場合でも、ワイヤ３１を電柱７０に巻きつける等することにより、当該アーム部材３０を固定支持することができる。
【００２３】
なお、ワイヤ３１は、図１では電柱７０の足場ボルト７２に巻きついているが、これに限定されず、電柱７０の電柱本体部７１に巻きついても構わない。
【００２４】
フック４０は、例えば間接活線工具６０等の電柱７０の作業に用いる工具を吊り下げ自在で、アーム部材３０の下部に設けられる。図１では、フック４０は、間接活線工具６０を直接吊り下げないで、吊下具５０を介して複数の間接活線工具６０を吊り下げている。アーム取付具２０及びワイヤ３１により電柱７０に吊下装置１０を固定支持しているので、複数の間接活線工具６０を確実に吊り下げることができる。
【００２５】
［アーム取付具２０の構成例］  
次にアーム取付具２０の構成例について説明する。図２に示すように、アーム取付具２０は、取付具本体部２１及び電柱７０の円周方向に摺動自在なアーム部材取付板２６で構成される。アーム取付具２０は、従来の柱状作業取付台を流用することが可能である。
【００２６】
取付具本体部２１は、電柱７０の円周に対応した弧形状を有するものであり、アーム部材取付板２６を摺動させる摺動溝２１ａと、アーム部材取付板２６を当該取付具本体部２１上の所定の箇所に固定する作業位置固定孔２１ｂとを有する。
【００２７】
摺動溝２１ａは、取付具本体部２１と同様に、電柱７０の円周に対応した弧形状を有する。作業位置固定孔２１ｂは、本例では５つ穿設されており、この５つの作業位置固定孔２１ｂのいずれかにアーム部材取付板２６が有する作業位置固定ピン２６ａが貫通して、取付具本体部２１とアーム部材取付板２６とが固定される。なお、作業位置固定孔の数は５つに限定されるものではなく、適宜変更可能である。
【００２８】
取付具本体部２１の一端には固定フック係合部２３が設けられる。本例では、図１に示したように電柱本体部７１にチェーン２４が巻かれ、チェーン２４の先端にある固定フック２５が固定フック係合部２３に係合することにより、電柱７０とアーム取付具２０とが固定される。
【００２９】
取付具本体部２１の他端には周長調整部２２が設けられる。周長調整部２２にはチェーン２４及び固定フック２５が設けられる。周長調整部２２は、電柱の高さ位置や種類等によって電柱の周長が異なるので、この周長が異なる様々電柱に対応するためにアーム取付具２０の周長を調整するものである。
【００３０】
周長調整部２２は、ネジが切られたシャフトと、このシャフトに嵌合する摘部とで構成されており、摘部がシャフトの軸を中心にして回転することにより、摘部がシャフトに沿って移動する。すると、電柱本体部７１に巻きついたチェーン２４が締められて、アーム取付具２０の周長が調整できるようになる。これにより、周長が異なる様々電柱にアーム取付具２０を取り付けることができる。
【００３１】
アーム部材取付板２６は、作業位置固定ピン２６ａ及びアーム部材固定ピン２６ｂを有する。作業位置固定ピン２６ａは、取付具本体部２１が有する作業位置固定孔２１ｂに貫通して、取付具本体部２１とアーム部材取付板２６とを固定する。
【００３２】
アーム部材固定ピン２６ｂは、後述するアーム部材３０が有する取付孔３０ａに貫通して、取付具本体部２１とアーム部材３０とを固定する。
【００３３】
［アーム部材３０の構成例］  
次に、アーム部材３０の構成例について説明する。図３に示すように、アーム部材３０は、取付孔３０ａ、摺動部の一例である摺動溝３０ｂ及びワイヤ３１で構成される。取付孔３０ａは、アーム部材３０の一端に設けられる孔であり、アーム部材取付板２６のアーム部材固定ピン２６ｂに貫通される。
【００３４】
摺動溝３０ｂは、アーム部材３０の長手方向に沿って設けられる溝であって、例えばフック４０が係合して摺動自在な溝である（図３（Ｄ）参照）。これにより、フック４０は、アーム部材３０の長手方向（水平方向）に摺動する。
【００３５】
［吊下装置１０の使用例］  
次に、吊下装置１０の使用例について説明する。図４に示すように、吊下装置１０は、電柱本体部７１にチェーン２４を巻きつけて、固定フック２５と固定フック係合部２３とを係合させ、周長調整部２２でアーム取付具２０の周長を電柱７０の円周に対応させることで、電柱本体部７１とアーム取付具２０とを固定させる。
【００３６】
その後、アーム部材取付板２６にアーム部材３０の一端を取り付けて、足場ボルト７２にアーム部材３０の他端から延びるワイヤ３１を巻きつけることで、電柱７０（電柱本体部７１及び足場ボルト７２）にアーム部材３０を固定させる。この固定により、アーム部材３０の上に作業者が歩行可能である。
【００３７】
図４では、取付具本体部２１の一番左側に穿設される作業位置固定孔２１ｂにアーム部材取付板２６が取り付けられている。例えば、この状態から、取付具本体部２１の一番右側に穿設される作業位置固定孔２１ｂにアーム部材３０を移動させたい場合には、アーム部材取付板２６の作業位置固定ピン２６ａを作業位置固定孔２１ｂから一旦取り外して、摺動溝２１ａに沿って、アーム部材取付板２６を反時計回りに摺動させる。そして、アーム部材取付板２６の作業位置固定ピン２６ａの位置が取付具本体部２１の作業位置固定孔２１ｂに重なる位置になったとき、アーム部材取付板２６の摺動を停止させて、一番右側にある作業位置固定孔２１ｂに作業位置固定ピン２６ａを貫通させることにより、点線で示す位置にアーム部材３０を回転移動させることができる。
【００３８】
これにより、アーム取付具２０を電柱７０から取り外して、アーム部材３０の方向を設定してからアーム取付具２０を電柱７０に再度固定する必要が無くなり、アーム部材３０の下方に吊り下げた間接活線工具６０を電柱７０の円周方向に沿って移動させることができる。
【００３９】
また、図５に示すように、吊下装置１０は、アーム部材３０の摺動溝３０ｂに沿ってフック４０が摺動することにより、間接活線工具６０を水平方向に移動させることもできる。図５では、アーム部材３０に長手方向に沿って、フック４０が右側に摺動することにより、吊下具５０及び複数の間接活線工具６０を右側に移動せることができる。これにより、様々な長さを有するアーム部材を用意することなく、アーム部材３０の下方に吊り下げた間接活線工具６０を水平方向に沿って移動させることができる。
【００４０】
このように、本実施の形態に係る吊下装置１０によれば、アーム取付具２０が電柱７０の所定の高さ位置に固定される。アーム部材３０が水平方向に延びる柱形状を有し、一端がアーム取付具２０に取り付けられる。フック４０が間接活線工具６０を吊り下げ自在で、アーム部材３０の下部に設けられる。これにより、アーム部材３０の下方にフック４０を介して間接活線工具６０を吊り下げることができるようになる。
【００４１】
この結果、アーム部材３０の下方にフック４０を介して間接活線工具６０を吊り下げることができるので、電柱７０上で作業する際に、間接活線工具６０を取り出し易くなり、作業効率が向上し、間接活線工具６０が誤って落下してしまうことを防止できる。更に、電柱７０から離れた場所に間接活線工具６０を置いておくことができるので、作業空間を確保することができる。
【００４２】
＜第２の実施の形態＞  
第２の実施の形態では、金物バンド８０を設けた吊下装置１０Ａについて説明する。第１の実施の形態と同じ名称及び符号のものは同じ機能を有するので、その説明を省略する。
【００４３】
図６に示すように、吊下装置１０Ａは、アーム取付具２０、アーム部材３０、フック４０及び取付部材の一例である金物バンド８０で構成される。アーム取付具２０、アーム部材３０及びフック４０については、前述の第１の実施の形態と同じものであるので、その説明を省略する。
【００４４】
アーム取付具２０の上方の電柱本体部７１には金物バンド８０が設けられる。金物バンド８０は、バンド部８１及びフック部８２を備える。バンド部８１は、例えば金属で形成されており、電柱本体部７１に囲って締め付けることにより、所望の高さ位置に固定されるものである。バンド部８１の一端にはフック部８２が設けられる。フック部８２は、アーム部材３０の他端に設けられるチェーン３１Ａと係合してアーム部材３０を固定支持する。
【００４５】
吊下装置１０Ａは、第１の実施の形態で説明した吊下装置１０が備えるワイヤ３１の代わりに、チェーン３１Ａを備えるので、フック部８２に係合するチェーン３１Ａの係合位置によって、フック部８２とアーム部材３０の他端との長さを調整することができる。
【００４６】
このように、第２の実施の形態に係る吊下装置１０Ａによれば、ワイヤ３１の代わりにチェーン３１Ａを備え、また、電柱本体部７１に固定自在な金物バンド８０を備えるので、図１で説明した電柱７０の足場ボルト７２等が存在しない高さ位置においてもアーム部材３０を設置することができる。これにより、吊下装置の汎用性が向上する。
【符号の説明】
【００４７】
１０，１０Ａ・・・吊下装置、２０・・・アーム取付具（取付具）、２１・・・取付具本体部、２１ａ・・・摺動溝、２１ｂ・・・作業位置固定孔、２２・・・周長調整部、２３・・・固定フック係合部、２４，３１Ａ・・・チェーン、２５・・・固定フック、２６・・・アーム部材取付板、２６ａ・・・作業位置固定ピン、２６ｂ・・・アーム部材固定ピン、３０，３０Ａ・・・アーム部材、３０ａ・・・取付孔、３０ｂ・・・摺動溝（摺動部）、３１・・・ワイヤ、４０・・・吊下部材（フック）、５０・・・吊下具、６０・・・間接活線工具、７０・・・電柱、７１・・・電柱本体部、７２・・・足場ボルト、８０・・・金物バンド（取付部材）、８１・・・バンド部、８２・・・フック部
【図１】
2012085377.tif 000003
【図２】
2012085377.tif 000004
【図３】
2012085377.tif 000005
【図４】
2012085377.tif 000006
【図５】
2012085377.tif 000007
【図６】
2012085377.tif 000008
【手続補正書】
【提出日】平成22年10月20日(2010.10.20)
【手続補正１】
【補正対象書類名】特許請求の範囲
【補正対象項目名】請求項５
【補正方法】変更
【補正の内容】
【請求項５】
前記電柱に固定される取付部材と、
前記アーム部材の他端に設けられ、前記取付部材と係合するチェーンとを更に備えることを特徴とする請求項１乃至３のいずれかに記載の吊下装置。